(57)【要約】【課題】ハンガーなどの吊下具においては、横木（バー）に安定的に係止させるには、屈曲部（フック）が下方に向かって十分に深く回り込んでいることが必要であるが、横木の上方には十分な隙間がないと横木にかけにくかった。【構成】  棒状をなした基部の一端に、横方向へ向かってゆるく円弧状に彎曲した屈曲部を一体的に形成すると共に、該屈曲部の開放端側に、前記屈曲部とほぼ同じ曲率で彎曲した可動片を回動自在に接続し、該可動片の接続側に弾性を有する軟質合成樹脂製の細長いバネ片を一体的に形成し、該バネ片を基部の側面の対応する箇所に固定した。【選択図】  図１
2010227210.tif 000002
【特許請求の範囲】
【請求項１】
棒状をなした基部の一端に、横方向へ向かってゆるく円弧状に彎曲した屈曲部を一体的に形成すると共に、該屈曲部の開放端側に、前記屈曲部とほぼ同じ曲率で彎曲した可動片を回動自在に接続し、該可動片の接続側に弾性を有する軟質合成樹脂製の細長いバネ片を一体的に形成し、該バネ片の端部を基部の側面の対応する箇所に固定したことを特徴とする吊下具。
【発明の詳細な説明】
【技術分野】
【０００１】
この発明は吊下具、詳しくは、横方向に渡された横木（バー）に各種物品を吊下する際に用いる吊下具に関するものである。
【背景技術】
【０００２】
横方向に渡された横木に各種物品を吊下する吊下具としては、ハンガー（洋服かけ）などが代表例であるが、この種の吊下具は、いずれも基部の上端に円弧状に彎曲した屈曲部を形成し、この屈曲部を横木に引っ掛けることにより、本体を横木から吊下する様になっている。この際、屈曲部は、下方に向かって十分に深く回り込んでいることが、安定的な吊下の為に必要である。
【先行技術文献】
【特許文献】
【０００３】
【特許文献１】なし
【非特許文献】
【０００４】
【非特許文献１】なし
【発明の概要】
【発明が解決しようとする課題】
【０００５】
上述の通り、吊下具においては、安定的な吊下の為には、屈曲部が下方に向かって十分に深く回り込んでいることが必要であり、屈曲部が浅い場合には、吊下具が横木から脱落しやすく、特に振動が加わる運搬時や幅の狭い横木（バー）に多数の吊下具を並列させて吊下させた場合などは、振動や隣接した吊下具同士の干渉により、横木からはずれて脱落する危険が大きかった。一方、屈曲部が下方に向かって十分に深く回り込んでいる場合は、横木（バー）の上方に十分な空間がないと、屈曲部を横木（バー）に係止させにくく、係止作業に手間が掛かったり、不完全な吊下になったりするおそれがあった。
【課題を解決するための手段】
【０００６】
棒状をなした基部の一端に、横方向へ向かってゆるく円弧状に彎曲した屈曲部を一体的に形成すると共に、該屈曲部の開放端側に、前記屈曲部とほぼ同じ曲率で彎曲した可動片を回動自在に接続し、該可動片の接続側に弾性を有する軟質合成樹脂製の細長いバネ片を一体的に形成し、該バネ片の端部を基部の側面の対応する箇所に固定することにより、上記課題を解決した。
【発明の効果】
【０００７】
可動片にはバネ片が延設されており、可動片を引き上げた状態においては、バネ片は、屈曲部の屈曲方向とは逆の方向に反り返って、この状態を安定的に保持し続ける。一方、可動片を引き下げた状態においては、バネ片は、屈曲部の内径側に添った状態を安定的に保持することになる。
つまり、可動片はバネ片の作用により、引き上げられた状態と引き下げられた状態の２つの位置を、選択的に保持し続けることとなり、図１に示す状態において、可動片３及び屈曲部２を横木６の上方を通過させ、バネ片５の側面が横木６に触れると、横木６から加わる押圧力によって、バネ片５はそれ自身が有する弾性によって、逆方向に反り返り、図２に示す様に、バネ力によって可動片３は引き下げられ、横木６に回り込む様な状態となる。
【０００８】
従って、横木６の上方に引き上げられた状態の可動片３が通過出来るだけのわずかな隙間さえあれば、この吊下具を横木６に確実に係止させることが可能であり、振動や隣接した吊下具同士の干渉などによって横木６から脱落する危険性は極めて低く、確実な吊下を実現することが出来る。一方、可動片３の内側を横木６に強く押圧すると、可動片３に延設されているバネ片５は、逆方向に反り返り、可動片３は引き上げられるので、この吊下具を横木６から容易に離脱させることが出来る。この様に、この吊下具は横木６への係止及び離脱が極めて容易であると共に、横木６への係止は極めて確実かつ安定的であり、各種物品の吊下作業を容易かつ確実に実施できる効果を有する。又、極めて簡潔な構造であり、耐久性に富み、誤作動のおそれもなく、低コストで製造することが出来る。
【図面の簡単な説明】
【０００９】
【図１】この発明に係る吊下具の実施例１の横木への係止前の状況の正面図。
【図２】同じく、係止中の状況の正面図。
【図３】この発明に係る吊下具の実施例２の横木への係止前の状況の正面図。
【図４】同じく、その係止中の状況の正面図。
【発明を実施するための形態】
【００１０】
基部の一端に形成されている屈曲部の先端に可動片を回動自在に接続すると共に、該可動片の後端にバネ片を延設し、このバネ片の弾性によって可動片を引き上げた状態と引き下げた状態の２つの状態に、選択的に保持出来る様にした点に最大の特徴が存する。
【実施例１】
【００１１】
図１はこの発明に係る吊下具の実施例１の横木への係止前の状況の正面図、図２は同じく係止中の状況の正面図である。
【００１２】
図中１は基部であり、棒状をなし、その一端には横方向、つまり、基部１の軸心から略直角の方向へ向かってゆるく円弧状に彎曲した屈曲部２が一体的に形成されている。そして、この基部１の下部には被服を保持する腕部７などが一体的に形成されている。一方、この屈曲部２の開放端側には、屈曲部２とほぼ同じ曲率で彎曲した可動片３の端部が枢支軸４によって回動自在に接続されている。
【００１３】
更に、この可動片３の枢支軸４側には弾性を有する軟質合成樹脂製の細長いバネ片５が一体的に形成されており、該バネ片５を屈曲部２の内径側側面に添わせた際に、その端部が達する基部１の対応する箇所に、このバネ片５の端部が固定されている。
【００１４】
なお、この実施例においては、吊下具として被服の整理収納に用いるハンガーを一例として説明したが、必ずしもハンガーに限る必要はないことはもちろんである。
【００１５】
この発明に係る吊下具は、上記の通りの構成を有するものであり、可動片３は枢支軸４を軸として揺動するものであるが、可動片３にはバネ片５が延設されており、図１に示す様に、可動片３を引き上げた状態においては、バネ片５は図示の通り、屈曲部２の屈曲方向とは逆の方向に反り返って、この状態を安定的に保持し続ける。
【００１６】
一方、図２に示す様に、可動片３を引き下げた状態においては、バネ片５は図示の通り、屈曲部２の内径側に添った状態を安定的に保持することになる。
【００１７】
つまり、可動片３はバネ片５の作用により、引き上げられた状態と引き下げられた状態の２つの位置を、選択的に保持し続けることとなり、図１に示す状態において、可動片３及び屈曲部２を横木６の上方を通過させ、バネ片５の側面が横木６に触れると横木６から加わる押圧力によって、バネ片５はそれ自身が有する弾性によって、逆方向に反り返り、図２に示す様に、バネ力によって可動片３は引き下げられ、横木６に回り込む様な状態となる。
【００１８】
従って、横木６の上方に引き上げられた状態の可動片３が通過出来るだけのわずかな隙間さえあれば、この吊下具を横木６に確実に係止させることが可能であり、振動や隣接した吊下具同士の干渉などによって脱落する危険性は極めて低く、確実な吊下を実現することが出来る。
【００１９】
一方、可動片３の内側を横木６に強く押圧すると、可動片３に延設されているバネ片５は、逆方向に反り返り、可動片３は引き上げられるので、この吊下具を横木６から容易に離脱させることが出来る。この様に、この吊下具は横木６への係止及び離脱が極めて容易であると共に、横木６への係止は極めて確実かつ安定的であり、各種物品の吊下作業を容易かつ確実に実施できる効果を有する。
【実施例２】
【００２０】
図３は、この発明に係る吊下具の実施例２の横木への係止前の状況の正面図、図３は、同じく係止中の状況の正面図であり、この実施例２においては、屈曲部２の先端と可動片３の後端とが肉厚の薄いヒンジ部８により接続された状態で、軟質合成樹脂により一体的に形成されており、このヒンジ部８の屈曲動作により、屈曲部２に対し、可動片３を回動自在に保持している。他の部分は、前記実施例１と同じであるので、同一符号を付して説明は省略する。
【００２１】
この実施例２も、前記実施例１と同様に、バネ片５の作用により、可動片３を引き上げた状態と引き下げた状態とに選択的に保持するものであるが、この実施例２においては、屈曲部２と可動片３がヒンジ部８を介して一体的に形成されているので、部品点数が少なく、大量生産に向く長所を有する。
【産業上の利用可能性】
【００２２】
物品の吊下を行う必要がある各種産業分野はもちろん、家庭における日用品や被服などの整理収納の際に、利用可能である。
【符号の説明】
【００２３】
１    基部
２    屈曲部
３    可動片
４    枢支軸
５    バネ片
６    横木
７    腕部
８    ヒンジ部
【図１】
2010227210.tif 000003
【図２】
2010227210.tif 000004
【図３】
2010227210.tif 000005
【図４】
2010227210.tif 000006